(57)【要約】【課題】着用者の排泄傾向に適合する補助吸収具の取付位置を容易に特定する。【解決手段】吸収性物品１の本体部２は、吸液性の吸収コア２２、吸収コア２２の着用者側の主面を覆うトップシート２１、および、吸収コア２２のもう一方の主面を覆うバックシート２３を備える。吸収性物品１では、トップシート２１の着用者側においてインナーパッド等の補助吸収具９が取り付け可能とされる。トップシート２１は、本体部２の長手方向および幅方向に伸びる線４１にて形成される格子状の位置決めパターン４を備える。位置決めパターン４は、印刷によりトップシート２１の吸収コア２２側の面に形成されており、本体部２の長手方向および幅方向に対する補助吸収具９の取付位置の特定に利用される。吸収性物品１では、着用者の排泄傾向に適合する補助吸収具９の取付位置を位置決めパターン４に基づいて容易に特定することができる。【選択図】図１
2006136582.tif 000002
【特許請求の範囲】
【請求項１】
着用者からの排泄物を受ける吸収性物品であって、
吸収コアと、
前記吸収コアの着用者側の主面を覆うとともに前記着用者側において補助吸収具が取り付け可能とされるトップシートと、
前記吸収コアのもう一方の主面を覆うバックシートと、
を備え、
前記トップシートが、長手方向および前記長手方向に垂直な幅方向に対する補助吸収具の取付位置の特定に利用される位置決めパターンを備えることを特徴とする吸収性物品。
【請求項２】
請求項１に記載の吸収性物品であって、
前記位置決めパターンが、前記長手方向および前記幅方向に伸びる線にて形成される格子状のパターンまたは前記長手方向および前記幅方向に広がる格子点のパターンであることを特徴とする吸収性物品。
【請求項３】
請求項２に記載の吸収性物品であって、
前記格子状のパターンの線または前記格子点のパターンの点が、前記長手方向および前記幅方向に関して一定個数毎に異なる線または点とされることを特徴とする吸収性物品。
【請求項４】
請求項１ないし３のいずれかに記載の吸収性物品であって、
前記位置決めパターンの少なくとも一部におけるパターンの密度が、他の一部における密度よりも高いことを特徴とする吸収性物品。
【請求項５】
請求項１ないし４のいずれかに記載の吸収性物品であって、
前記位置決めパターンが、印刷により前記トップシートに形成されることを特徴とする吸収性物品。
【請求項６】
請求項１ないし４のいずれかに記載の吸収性物品であって、
前記位置決めパターンが、前記トップシートの前記吸収コア側に塗布された有色ホットメルト接着剤であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつでは、少量の排尿時であってもおむつ全体を交換する必要があるため、使用者にとって経済的な負担が大きくなってしまう。そこで、使い捨ておむつの本体部上に安価な補助吸収具（いわゆる、尿パッド等）を取り付けて着用し、少量の排尿時には補助吸収具のみを交換することが行われている。
【０００３】
このように、補助吸収具を使用する場合、補助吸収具を着用者にとって適切な位置に装着して尿や便の漏出を防止する必要がある。例えば、特許文献１では、使い捨て紙おむつおよびインナーパッド（補助吸収具）の一部（例えば、中心線上や端部）に互いに対応する位置決め用目印を設けることにより、インナーパッドを使い捨て紙おむつの中央部に迅速かつ確実に装着するための技術が開示されている。
【特許文献１】特開２００３−９３４３８号公報
【発明の開示】
【発明が解決しようとする課題】
【０００４】
ところで、着用者の身体状況（例えば、半身麻痺や拘縮の状態、あるいは、男性器の使い捨ておむつ内の位置）によっては、使い捨ておむつ内で尿が流れる方向が偏る等、排泄傾向が偏るため、使い捨ておむつの中央部に補助吸収具を取り付けただけでは漏出を適切に防止することができない場合がある。
【０００５】
このような場合には、着用者の身体状況に合わせて使い捨ておむつに対する補助吸収具の取付位置をずらすことが好ましい。しかしながら、特許文献１の使い捨て紙おむつでは、使い捨て紙おむつの中央部や端部にのみ目印が設けられているため、インナーパッドの微妙な位置調整をすることが困難である。また、専用の目印が設けられたインナーパッド以外の補助吸収具を利用する場合には、迅速な位置決め自体が困難になってしまう。
【０００６】
本発明は、上記課題に鑑みなされたものであり、着用者の排泄傾向に適合する補助吸収具の取付位置を容易に特定することを目的としている。
【課題を解決するための手段】
【０００７】
請求項１に記載の発明は、着用者からの排泄物を受ける吸収性物品であって、吸収コアと、前記吸収コアの着用者側の主面を覆うとともに前記着用者側において補助吸収具が取り付け可能とされるトップシートと、前記吸収コアのもう一方の主面を覆うバックシートとを備え、前記トップシートが、長手方向および前記長手方向に垂直な幅方向に対する補助吸収具の取付位置の特定に利用される位置決めパターンを備える。
【０００８】
請求項２に記載の発明は、請求項１に記載の吸収性物品であって、前記位置決めパターンが、前記長手方向および前記幅方向に伸びる線にて形成される格子状のパターンまたは前記長手方向および前記幅方向に広がる格子点のパターンである。
【０００９】
請求項３に記載の発明は、請求項２に記載の吸収性物品であって、前記格子状のパターンの線または前記格子点のパターンの点が、前記長手方向および前記幅方向に関して一定個数毎に異なる線または点とされる。
【００１０】
請求項４に記載の発明は、請求項１ないし３のいずれかに記載の吸収性物品であって、前記位置決めパターンの少なくとも一部におけるパターンの密度が、他の一部における密度よりも高い。
【００１１】
請求項５に記載の発明は、請求項１ないし４のいずれかに記載の吸収性物品であって、前記位置決めパターンが、印刷により前記トップシートに形成される。
【００１２】
請求項６に記載の発明は、請求項１ないし４のいずれかに記載の吸収性物品であって、前記位置決めパターンが、前記トップシートの前記吸収コア側に塗布された有色ホットメルト接着剤である。
【発明の効果】
【００１３】
本発明では、着用者の排泄傾向に適合する補助吸収具の取付位置を容易に特定することができる。請求項３の発明では、補助吸収具の取付位置の特定をより容易に行うことができる。請求項４の発明では、着用者の排泄傾向に合わせて補助吸収具の特定の部位の位置決めを精度良く行うことができる。
【００１４】
請求項５の発明では、位置決めパターンを容易に設けることができる。請求項６の発明では、吸収性物品の製造を簡素化することができる。
【発明を実施するための最良の形態】
【００１５】
図１は、本発明の第１の実施の形態に係る吸収性物品１を示す平面図である。着用者からの排泄物を受ける吸収性物品１は、着用者の腹側に当接する部位と背側に当接する部位とを腰回りで止着して着用するオープンタイプの使い捨ておむつ等として利用される。
【００１６】
図１に示すように、吸収性物品１は、略シート状の本体部２、本体部２の長手方向（すなわち、図１中のＹ方向）のほぼ全長に亘って、本体部２の長手方向に垂直な幅方向の両側（すなわち、（＋Ｘ）側および（−Ｘ）側）に設けられた一対の側壁部３、並びに、本体部２の長手方向の一方の端部（（−Ｙ）側の端部であり、着用者の背側に当接する部位）において幅方向の両側に取り付けられた一対の止着部２４を備える。吸収性物品１の着用時には、本体部２の（＋Ｚ）側の主面が着用者に接する面となり、一対の止着部２４のそれぞれに２つ設けられた面ファスナー２４１により、止着部２４が本体部２の（＋Ｙ）側の端部（すなわち、着用者の腹側に当接する部位）の着用者側とは反対側に止着される。
【００１７】
一対の側壁部３のそれぞれには、Ｙ方向に伸びる複数の弾性部材３１ａ，３１ｂが接合されており、図１に示すように吸収性物品１を広げた状態では、弾性部材３１ａ，３１ｂは伸張状態となっている。吸収性物品１では、内側の弾性部材３１ａが収縮することにより、本体部２の側方において側壁部３の内側のエッジが着用者側に向かって立ち上がり、外側の弾性部材３１ｂが収縮することにより、側壁部３の外側のエッジおよび下側のシートが着用者側かつ内側に向かって立ち上がって着用時に着用者の足の付け根近傍に当接する立体ギャザー（いわゆる、レッグギャザー）が形成される。側壁部３は、撥水性または不透液性の不織布（例えば、スパンボンド不織布やメルトブロー不織布、ＳＭＳ（スパンボンド・メルトブロー・スパンボンド）不織布）やプラスチックフィルム、あるいは、これらの複合材料により形成される。吸収性物品１の快適性向上の観点からは、側壁部３は通気性を有することが好ましい。
【００１８】
図２は、吸収性物品１をおよそ中央でＹ方向に垂直な面で切断した断面図である。図１および図２に示すように、本体部２は、吸液性の吸収コア２２、吸収コア２２の着用者側（すなわち、（＋Ｚ）側）の主面を覆うトップシート２１、および、吸収コア２２のもう一方の主面を覆うバックシート２３を備え、吸収コア２２の側方には側壁部３が接合される。トップシート２１とバックシート２３とは、ホットメルト接着剤等により吸収コア２２の周囲にて接合される。吸収性物品１では、トップシート２１の着用者側においてインナーパッド等の略矩形の補助吸収具９が図１および図２中に二点鎖線にて示すように取り付け可能とされる。
【００１９】
トップシート２１は透液性の材料、例えば、親水性繊維により形成された不織布であり、着用者からの排泄物の水分を捕捉して吸収コア２２へと移動させる。トップシート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、トップシート２１として、表面を活性剤により親水処理した疎水性繊維（例えば、ポリプロピレン、ポリエチレン、ポリエステル、ポリアミド、ナイロン）により形成された透液性の不織布が利用されてもよく、また、開孔を有するプラスチックフィルムが利用されてもよい。
【００２０】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性シートにより包み込んで形成され、トップシート２１を透過した水分を吸収して迅速に固定する。親水性繊維を包むティッシュペーパー等は、親水性繊維の型崩れ、および、吸水性ポリマーの脱落を防止する。
【００２１】
バックシート２３は撥水性または不透液性の不織布であり、トップシート２１を透過した水分、および、吸収コア２２に一旦吸収された水分が、本体部２の外側（すなわち、（−Ｚ）側）にしみ出すのを防止する。バックシート２３として利用される不織布は、例えば、スパンボンド不織布やメルトブロー不織布、ＳＭＳ（スパンボンド・メルトブロー・スパンボンド）不織布であり、必要に応じて撥水処理が施されてもよい。なお、撥水性または不透液性のプラスチックフィルムや、上記不織布とプラスチックフィルムとの複合材料等がバックシート２３として利用されてもよい。この場合、着用者の快適性の観点からは、通気性を有するプラスチックフィルムが利用されることが好ましい。
【００２２】
図１に示すように、トップシート２１は、本体部２の長手方向および幅方向に伸びる線４１にて形成される格子状の位置決めパターン４を備え、位置決めパターン４の複数の線４１は、互いに略平行に、約５〜１０ｍｍの間隔をあけて配列される。位置決めパターン４の線４１は、長手方向および幅方向に関して一定個数毎（本実施の形態では、５つ毎）に異なる線４１ａ（本実施の形態では、線４１よりも太い線である。）とされる。位置決めパターン４は、吸収性物品１の製造時にインラインにて印刷によりトップシート２１の吸収コア２２側の面に形成されており、本体部２の長手方向および幅方向に対する補助吸収具９の取付位置の特定に利用される。なお、位置決めパターン４は、トップシート２１の着用者側の面に印刷されてもよい。また、位置決めパターン４は、吸収性物品１を広げた状態における（倒れた状態の）側壁部３の下側のトップシート２１上にも形成されてよい。
【００２３】
吸収性物品１が着用される際には、まず、吸収性物品１に補助吸収具９が取り付けられ、その後、補助吸収具９と共に吸収性物品１が着用者にあてがわれて止着部２４により止着される。吸収性物品１に補助吸収具９が取り付けられる際には、前回使用された補助吸収具９の使用後の状態（すなわち、補助吸収具９のどの部位を中心として尿等が吸収されているか等）から着用者の排泄傾向が把握された上で、必要に応じて前回の取付位置からずらしながら補助吸収具９の各コーナー部を線４１，４１ａの交点に重ね合わせたり、補助吸収具９のエッジを位置決めパターン４の線４１または線４１ａに沿わせる等して、位置決めパターン４に基づいて補助吸収具９の取り付けが行われる。例えば、排泄が着用者の腹側かつ右側に偏っている場合には、補助吸収具９は、前回の取付位置よりも図１中の（＋Ｘ）側かつ（＋Ｙ）側にずらして取り付けられる。
【００２４】
以上に説明したように、吸収性物品１では、トップシート２１に格子状の位置決めパターン４が設けられることにより、着用者の排泄傾向に適合する補助吸収具９の取付位置を容易に特定することができる。その結果、補助吸収具９の交換時において、補助吸収具９の吸収性物品１に対する位置決めを容易に行い、同じ大きさの補助吸収具９を吸収性物品１上の同一または適切に変更された取付位置に取り付けることができる。また、複数の介護者により交代で補助吸収具９の交換が行われる場合には、補助吸収具９の適切な取付位置に関する情報（例えば、右側から１番目の線４１と腹側から１１番目の線４１との交点に補助吸収具９の１つのコーナー部を合わせて取り付ける、といった情報。）を他の介護者に正確に伝達することができる。
【００２５】
なお、吸収性物品１が着用される際には、まず、補助吸収具９が着用者の適切な着用部位にあてがわれ、その後、補助吸収具９の上から吸収性物品１が着用されてもよい。このような場合であっても、吸収性物品１では、本体部２の長手方向の端部まで位置決めパターン４が設けられているため、吸収性物品１に対する補助吸収具９の相対的な取付位置を、着用者の排泄傾向に適合するように容易に特定することができる。
【００２６】
吸収性物品１では、位置決めパターン４において、一定個数の線４１毎に太さの異なる線４１ａが設けられるため、補助吸収具９の取付位置の特定をより容易に行うことができる。また、位置決めパターン４がトップシート２１に印刷により形成されるため、位置決めパターン４を容易に設けることができる。
【００２７】
図３は、本発明の第２の実施の形態に係る吸収性物品１ａを示す平面図である。吸収性物品１ａでは、本体部２の長手方向および幅方向に等間隔に広がる格子点のパターンである位置決めパターン４ａが、トップシート２１の吸収コア２２側に塗布された有色ホットメルト接着剤により形成される。その他の構成は図１と同様であり、以下の説明において同符号を付す。
【００２８】
位置決めパターン４ａの点４２は、長手方向および幅方向に関して約５〜１０ｍｍの間隔をあけて配列され、一定個数毎（本実施の形態では、５つ毎）に異なる点４２ａ（本実施の形態では、点４２よりも大きい点である。）とされる。本体部２が形成される際には、トップシート２１の吸収コア２２側の面に有色ホットメルト接着剤が格子点状に塗布され、吸収コア２２を間に挟んでトップシート２１とバックシート２３とが接着される。
【００２９】
吸収性物品１ａでは、着用者の排泄傾向に合わせ、補助吸収具９の各コーナー部やエッジを位置決めパターン４ａの点４２または点４２ａに重ね合わせる等して、位置決めパターン４ａに基づいて補助吸収具９が取り付けられる。
【００３０】
以上に説明したように、吸収性物品１ａでは、トップシート２１、吸収コア２２およびバックシート２３の接着、並びに、位置決めパターン４ａの形成を同一工程にて行うことにより、吸収性物品１ａの製造を簡素化することができる。なお、トップシート２１、吸収コア２２およびバックシート２３の接着には、位置決めパターン４ａの形成に用いられたホットメルト接着剤以外の他の接着剤が併用されてもよい。
【００３１】
吸収性物品１ａでは、第１の実施の形態と同様に、位置決めパターン４ａに基づいて補助吸収具９の取り付けが行われるため、着用者の排泄傾向に適合する補助吸収具９の取付位置を容易に特定することができる。また、位置決めパターン４ａにおいて、一定個数の点４２毎に大きさの異なる点４２ａが設けられるため、補助吸収具９の取付位置の特定をより容易に行うことができる。
【００３２】
図４は、本発明の第３の実施の形態に係る吸収性物品１ｂを示す平面図である。吸収性物品１ｂの位置決めパターン４ｂは、第２の実施の形態と同様に、本体部２の長手方向および幅方向に広がる格子点のパターンとされ、位置決めパターン４ｂを形成する点４２は、長手方向および幅方向に関して一定個数毎に異なる点４２ａとされる。吸収性物品１ｂでは、位置決めパターン４ｂの（＋Ｘ）側かつ（−Ｙ）側の部位（すなわち、着用者の背側かつ右側に接する部位）における点４２，４２ａの密度が、他の部位における点４２，４２ａの密度よりも高い。以下、位置決めパターン４ｂにおいて点４２，４２ａの密度が高い部位を、「高密度部位４３」という。
【００３３】
吸収性物品１ｂは、排泄が背側かつ右側に偏る傾向を有する着用者により利用され、補助吸収具９が、本体部２の略中央から図４中の（＋Ｘ）側かつ（−Ｙ）側、すなわち、高密度部位４３側にずらして配置されて取り付けられる。吸収性物品１ｂでは、着用者の排泄傾向に合わせて、着用者の背側かつ右側に対応する補助吸収具９のコーナー部の位置決めを精度良く行うことができ、微妙な調整も可能となる。また、点４２の粗密により、吸収性物品１の交換を行う介護者が、補助吸収具９の取付位置をどちら側にずらすべきかを速やかに把握することもできる。
【００３４】
以上、本発明の実施の形態について説明してきたが、本発明は上記実施の形態に限定されるものではなく、様々な変更が可能である。
【００３５】
例えば、図１では、位置決めパターン４の線４１，４１ａが実線とされているが、線４１，４１ａは破線や点線等のように実質的に線とみなすことができるものであってもよい。また、図３に示す点４２，４２ａについても同様に、実質的に点とみなすことができるものであれば、例えば、四角形や菱形、星印等であってもよい。さらには、吸収性物品の位置決めパターンは、本体部２に対する補助吸収具９の取付位置の特定に利用できる他の様々な形状の図形の集合であってもよい。
【００３６】
第３の実施の形態に係る吸収性物品１ｂでは、高密度部位４３は、使用者に合わせて位置決めパターン４ｂの他の部位に設けられてもよく、また、位置決めパターン４ｂ中に複数の高密度部位４３が設けられてもよい。図５は、パンツタイプの吸収性物品１ｃを伸ばした状態で着用者側の面を示す平面図である。図５に示すように、吸収性物品１ｃでは、位置決めパターン４ｃの（＋Ｘ）側かつ（−Ｙ）側に向かって、線４１，４１ａの密度が漸次高くなるように位置決めパターン４ｃが形成される。吸収性物品１ｃでは、図４の場合と同様に、線４１，４１ａが高密度に設けられた部位上において、補助吸収具９のコーナー部（あるいは、エッジ）の位置を高精度に調整して位置決めすることができる。このように、位置決めパターンの少なくとも一部における線や点の密度が、他の一部における密度よりも高くされることにより、着用者の排泄傾向に合わせて補助吸収具９の特定の部位の位置決めを精度良く行うことができる。
【００３７】
吸収性物品では、スパンレース法やニードルパンチ法、サーマルボンド法、スパンボンド法、ケミカルボンド法、エアスルー法等の様々な製法により製造された不織布を、トップシート２１、バックシート２３および側壁部３として使用することができる。
【００３８】
上記実施の形態に示したように、吸収性物品のトップシートに補助吸収具用の位置決めパターンを設ける技術は、オープンタイプやパンツタイプの使い捨ておむつ、その他様々な吸収性物品に利用可能である。
【図面の簡単な説明】
【００３９】
【図１】第１の実施の形態に係る吸収性物品を示す平面図である。
【図２】吸収性物品の断面図である。
【図３】第２の実施の形態に係る吸収性物品を示す平面図である。
【図４】第３の実施の形態に係る吸収性物品を示す平面図である。
【図５】パンツタイプの吸収性物品を示す平面図である。
【符号の説明】
【００４０】
１，１ａ〜１ｃ    吸収性物品
４，４ａ〜４ｃ    位置決めパターン
２１    トップシート
２２    吸収コア
２３    バックシート
４１，４１ａ    線
４２，４２ａ    点
４３    高密度部位
【図１】
2006136582.tif 000003
【図２】
2006136582.tif 000004
【図３】
2006136582.tif 000005
【図４】
2006136582.tif 000006
【図５】
2006136582.tif 000007